(57)【要約】【課題】海運貨物の輸送状況の管理を効率よく行う。【解決手段】海運貨物管理システム１０は、業務支援データを蓄積する蓄積手段２０と、貨物管理データを生成及び管理するための管理手段１２と、管理手段１２へ貨物管理データの管理に係る情報を入出力するための管理端末２６とを含んでいる。管理手段１２は、保持されている外部ユーザデータに基づいて、外部端末２８へ貨物管理データを出力するデータ出力機能部４２を有している。貨物管理データには、海運貨物の写真データとコンテナの写真データとが含まれている。このため、海運貨物及びコンテナの写真データを、管理端末２６を操作する管理ユーザと外部端末２８を操作する外部ユーザとの間で共有することができる。従って、外部ユーザから写真データを要求されても、電子メールやＦＡＸを利用して送信する必要がないため、海運貨物の輸送状況の管理を効率よく行うことができる。【選択図】図１
2016170690.tif 000002
【特許請求の範囲】
【請求項１】
海運貨物の輸送状況を管理するための海運貨物管理システムであって、
海運貨物に対して発行された船荷証券の船荷証券番号を含む船荷証券データと、海運貨物を収容しているコンテナのコンテナ番号を含むコンテナデータとを含む、業務支援データを蓄積する蓄積手段と、
該蓄積手段と専用ネットワークを介してデータ通信を行い、前記蓄積手段から前記業務支援データを取得して、該業務支援データと紐付けて貨物管理データを生成し、管理するための管理手段と、
前記専用ネットワークを介して、前記管理手段に対して前記貨物管理データの管理に係る情報を入出力するための管理端末と、を含み、
前記管理手段は、前記管理端末を利用する管理ユーザの管理ユーザデータと、汎用ネットワークを介して当該海運貨物管理システムを利用する外部ユーザの外部ユーザデータとを含むユーザデータを保持するユーザデータ保持機能部と、前記外部ユーザデータに基づいて、前記汎用ネットワークを介してアクセスしてきた外部端末のアクセス可否を判断すると共に、アクセスを許可した外部端末に対して前記貨物管理データの少なくとも一部を出力するデータ出力機能部と、前記管理端末から入力される、前記業務支援データに含まれていないコンテナの情報を、前記貨物管理データの新規データとして登録する管理データ登録機能部と、を有し、
前記貨物管理データに、前記船荷証券番号と紐付く海運貨物の写真データと、前記コンテナ番号と紐付くコンテナの写真データとが含まれることを特徴とする海運貨物管理システム。
【請求項２】
前記管理手段は、前記外部ユーザの依頼に応じて、新たな外部ユーザの情報を、依頼を行った前記外部ユーザを親とする子ユーザとして、前記外部ユーザデータへ追加し、この親子関係を含めた新規外部ユーザの追加に、任意の親子階層数まで対応する外部ユーザ追加機能部と、
前記外部ユーザデータ内の複数の外部ユーザ間の親子関係に基づいて、前記複数の外部ユーザの各々を複数の階層に分けると共に、前記外部端末へ前記貨物管理データの少なくとも一部を出力する際に、前記外部端末を用いてアクセスしている外部ユーザの前記階層に応じて、出力内容を制限する出力内容制限機能部と、を有することを特徴とする請求項１記載の海運貨物管理システム。
【請求項３】
写真を撮影する写真撮影機能部と、撮影した写真を前記海運貨物の写真データ及び前記コンテナの写真データとして、前記汎用ネットワークを介して前記管理手段へ格納する写真データ格納機能部とを有する、携帯端末を含むことを特徴とする請求項１又は２記載の海運貨物管理システム。
【請求項４】
前記管理手段は、
前記専用ネットワークを介して前記蓄積手段及び前記管理端末と接続され、該管理端末をクライアント側とするサーバ側の機能を提供すると共に、前記蓄積手段から前記業務支援データを取得して、前記貨物管理データを生成及び保持する管理サーバと、
前記専用ネットワークを介して前記管理サーバと接続されると共に、前記汎用ネットワークを介して前記外部端末と接続され、該外部端末のウェブブラウザに対して、前記貨物管理データの一部を出力するための入出力表示を提供するウェブサーバと、を含むことを特徴とする請求項１から３のいずれか１項記載の海運貨物管理システム。
【請求項５】
前記専用ネットワークに接続され、前記海運貨物の写真データ及び前記コンテナの写真データを含むファイルデータを保存するためのファイルサーバと、
前記専用ネットワークに接続され、電子メールを配送するためのメールサーバと、を含み、
前記管理手段は、
前記専用ネットワーク内の、前記管理サーバ及び前記ウェブサーバと、前記蓄積手段及び前記ファイルサーバ及び前記メールサーバとの間に設置され、前記管理サーバ及び前記ウェブサーバからの、前記蓄積手段及び前記ファイルサーバ及び前記メールサーバに対する、前記業務支援データと前記ファイルデータとを含む各データの入出力を、統合して行うための中継サーバを含むことを特徴とする請求項４記載の海運貨物管理システム。
【請求項６】
海運貨物の輸送状況を管理するための海運貨物管理方法であって、
蓄積手段と管理手段と管理端末とを含み、前記蓄積手段と前記管理手段と前記管理端末とが専用ネットワークで接続された海運貨物管理システムを用い、
海運貨物に対して発行された船荷証券の船荷証券番号を含む船荷証券データと、海運貨物を収容しているコンテナのコンテナ番号を含むコンテナデータと、を含む業務支援データを前記蓄積手段へ蓄積し、
前記管理手段により、前記蓄積手段から前記業務支援データを取得して、該業務支援データと紐付けて貨物管理データを生成し、前記管理端末から、前記管理手段に対して前記貨物管理データの管理に係る情報を入出力することで、前記貨物管理データの管理を行い、
前記管理手段により、前記管理端末を利用する管理ユーザの管理ユーザデータと、汎用ネットワークを介して前記海運貨物管理システムを利用する外部ユーザの外部ユーザデータとを含むユーザデータを保持し、前記外部ユーザデータに基づいて、前記汎用ネットワークを介してアクセスしてきた外部端末のアクセス可否を判断すると共に、アクセスを許可した外部端末に対して前記貨物管理データの少なくとも一部を出力し、又、前記管理端末から入力される、前記業務支援データに含まれていないコンテナの情報を、前記貨物管理データの新規データとして登録し、
前記貨物管理データに、前記船荷証券番号と紐付く海運貨物の写真データと、前記コンテナ番号と紐付くコンテナの写真データとを含めることを特徴とする海運貨物管理方法。
【請求項７】
前記管理手段により、前記外部ユーザの依頼に応じて、新たな外部ユーザの情報を、依頼を行った前記外部ユーザを親とする子ユーザとして、前記外部ユーザデータへ追加し、この親子関係を含めた新規外部ユーザの追加に、任意の親子階層数まで対応し、更に、前記外部ユーザデータ内の複数の外部ユーザ間の親子関係に基づいて、前記複数の外部ユーザの各々を複数の階層に分けると共に、前記外部端末へ前記貨物管理データの少なくとも一部を出力する際に、前記外部端末を用いてアクセスしている外部ユーザの前記階層に応じて、出力内容を制限することを特徴とする請求項６記載の海運貨物管理方法。
【請求項８】
前記海運貨物管理システムが携帯端末を含み、
該携帯端末により、コンテナ内に収容された船荷証券に紐付く海運貨物及びコンテナの写真を撮影し、撮影した写真を前記海運貨物の写真データ及び前記コンテナの写真データとして、前記汎用ネットワークを介して前記管理手段へ格納することを特徴とする請求項６又は７記載の海運貨物管理方法。
【請求項９】
前記管理手段が、前記専用ネットワークを介して前記蓄積手段及び前記管理端末と接続された管理サーバと、前記専用ネットワークを介して前記管理サーバと接続されると共に前記汎用ネットワークを介して前記外部端末と接続されたウェブサーバとを含み、
前記管理サーバにより、前記管理端末をクライアント側とするサーバ側の機能を提供すると共に、前記蓄積手段から前記業務支援データを取得して、前記貨物管理データを生成及び保持し、
前記ウェブサーバにより、前記外部端末のウェブブラウザに対して、前記貨物管理データの一部を出力するための入出力表示を提供することを特徴とする請求項６から８のいずれか１項記載の海運貨物管理方法。
【請求項１０】
前記海運貨物管理システムが、前記専用ネットワークに接続され、前記海運貨物の写真データ及び前記コンテナの写真データを含むファイルデータを保存するためのファイルサーバと、前記専用ネットワークに接続され、電子メールを配送するためのメールサーバとを含み、
前記管理手段が、前記専用ネットワーク内の、前記管理サーバ及び前記ウェブサーバと、前記蓄積手段及び前記ファイルサーバ及び前記メールサーバとの間に設置された中継サーバを含み、
前記中継サーバにより、前記管理サーバ及び前記ウェブサーバからの、前記蓄積手段及び前記ファイルサーバ及び前記メールサーバに対する、前記業務支援データと前記ファイルデータとを含む各データの入出力を、統合して行うことを特徴とする請求項９記載の海運貨物管理方法。
【発明の詳細な説明】
【技術分野】
【０００１】
本発明は、海運貨物の輸送状況を管理するための、海運貨物管理システム及び海運貨物管理方法に関するものである。
【背景技術】
【０００２】
海運貨物の管理に係る大規模なシステムとして、例えば、Ｓｅａ−ＮＡＣＣＳ（輸出入・港湾関連情報処理システム）が挙げられる。このシステムは、税関官署、運輸業者、通関業者、倉庫業者、船会社、船舶代理店、及び、金融機関等の相互を繋ぐ、電子的情報通信システムであり、国際貿易における、通関及び輸入の際の関税の納付などを効率的に処理することを目的として構築されている。一方、海運貨物の輸送に係る業者間で使用される、より小規模なシステムとして、例えば、船荷証券情報を自動的に通知するシステム（特許文献１参照）や、貨物のトラッキング情報を検索するシステム（特許文献２参照）等も開発されている。
【先行技術文献】
【特許文献】
【０００３】
【特許文献１】特開２００２−１８９７８２号公報
【特許文献２】特開２００２−３１２４４６号公報
【発明の概要】
【発明が解決しようとする課題】
【０００４】
しかしながら、上述した海運貨物の輸送に係る業者間で使用されるシステムは、取り扱う船荷証券の情報を充実させるために、業者間で船荷証券と紐付く海運貨物の写真のやり取りを行う場合には、例えば、電子メールの添付ファイルとしたりＦＡＸ等を利用する必要があり、手間がかかるものであった。又、輸送情報の共有は、予めシステムに設定されている業者間に限定されるため、例えば、海運貨物の最終的な荷受人に対して輸送情報を開示するといった要求に、柔軟に対応することが困難であった。
本発明は上記課題に鑑みてなされたものであり、その目的とするところは、海運貨物の輸送状況の管理を効率よく行うことにある。
【課題を解決するための手段】
【０００５】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）海運貨物の輸送状況を管理するための海運貨物管理システムであって、海運貨物に対して発行された船荷証券の船荷証券番号を含む船荷証券データと、海運貨物を収容しているコンテナのコンテナ番号を含むコンテナデータとを含む、業務支援データを蓄積する蓄積手段と、該蓄積手段と専用ネットワークを介してデータ通信を行い、前記蓄積手段から前記業務支援データを取得して、該業務支援データと紐付いた貨物管理データを生成及び管理するための管理手段と、前記専用ネットワークを介して、前記管理手段に対して前記貨物管理データの管理に係る情報を入出力するための管理端末と、を含み、前記管理手段は、前記管理端末を利用する管理ユーザの管理ユーザデータと、汎用ネットワークを介して当該システムを利用する外部ユーザの外部ユーザデータとを含むユーザデータを保持するユーザデータ保持機能部と、前記外部ユーザデータに基づいて、前記汎用ネットワークを介してアクセスしてきた外部端末のアクセス可否を判断すると共に、アクセスを許可した外部端末に対して前記貨物管理データの少なくとも一部を出力するデータ出力機能部と、前記管理端末から入力される、前記業務支援データに含まれていないコンテナの情報を、前記貨物管理データの新規データとして登録する管理データ登録機能部と、を有し、前記貨物管理データに、前記船荷証券番号と紐付く海運貨物の写真データと、前記コンテナ番号と紐付くコンテナの写真データとが含まれる海運貨物管理システム（請求項１）。
【０００７】
本項に記載の海運貨物管理システムは、業務支援データを蓄積する蓄積手段と、貨物管理データを生成及び管理するための管理手段と、管理手段に対して貨物管理データの管理に係る情報を入出力するための管理端末とを含んでいる。これらは、社内ＬＡＮ等で構築された適切な専用ネットワークに接続されており、必要に応じて、専用ネットワークを介して互いにデータ通信を行う。蓄積手段が蓄積する業務支援データには、海運貨物に対して発行された船荷証券の船荷証券番号を含む船荷証券データと、海運貨物を収容しているコンテナのコンテナ番号を含むコンテナデータとが含まれている。又、管理手段が生成及び管理する貨物管理データは、管理手段が専用ネットワークを介して蓄積手段から取得する業務支援データと紐付けられて生成される。すなわち、貨物管理データは、例えば、船荷証券データやコンテナデータと紐付けられて、海運貨物の輸送状況を管理する上での、適切なデータ形態や付加情報を伴って生成される。
【０００８】
管理手段は、ユーザデータを保持するユーザデータ保持機能部を有しており、このユーザデータには、管理ユーザデータと外部ユーザデータとが含まれている。ここで、管理ユーザデータは、管理端末から管理手段に対して情報を入出力することで、主に、上述した貨物管理データの管理業務を行う、管理ユーザに関するデータであり、例えば、管理ユーザのＩＤやパスワード等を含んでいる。又、外部ユーザデータは、インターネット等の汎用ネットワークを介して本システムを利用する、外部ユーザに関するデータであり、例えば、外部ユーザのＩＤやパスワード等を含んでいる。更に、管理手段は、外部端末のアクセス可否を判断し、アクセスを許可した外部端末に対して貨物管理データの少なくとも一部を出力するデータ出力機能部を有している。すなわち、上述した外部ユーザデータに基づいて、外部端末を操作している外部ユーザの、本システムに対するアクセス可否を判断する。そして、外部端末を操作している外部ユーザが、外部ユーザデータに登録されている外部ユーザである場合は、外部端末を介して要求された、貨物管理データの少なくとも一部を、外部端末に対して出力する。又、管理手段は、貨物管理データに新規データを登録する管理データ登録機能部を有している。すなわち、業務支援データと紐付けて生成される貨物管理データの他に、管理ユーザによって管理端末から入力される、業務支援データに含まれていないコンテナの情報を、貨物管理データの新規データとして登録する。これにより、例えば、業務支援データとして情報が蓄積されていないコンテナに関する情報であっても、管理端末から入力されることによって、貨物管理データとして登録されるため、管理対象とする海運貨物の範囲を広げるものとなる。
【０００９】
更に、本項に記載の海運貨物管理システムは、管理端末を介して管理ユーザが管理を行い、外部端末を介して外部ユーザに対して出力される、貨物管理データに、船荷証券番号と紐付く海運貨物の写真データと、コンテナ番号と紐付くコンテナの写真データとが含まれている。すなわち、船荷証券番号に紐付いて船荷証券データに付加される海運貨物の写真データと、コンテナ番号に紐付いてコンテナデータに付加されるコンテナの写真データとが、本システムを介して、管理ユーザと外部ユーザとの間で共有されることとなる。従って、外部ユーザから海運貨物の写真データやコンテナの写真データを要求された場合であっても、電子メールやＦＡＸを利用して送信する必要がないため、海運貨物の輸送状況の管理を効率よく行うものとなる。又、上述した管理手段の管理データ登録機能部は、業務支援データとして情報が蓄積されていないコンテナの、写真データを、管理端末から入力されるコンテナ番号と共に、貨物管理データの新規データとして登録する。このように、業務支援データとして情報が蓄積されていないコンテナに紐付けられる写真データの登録にも、柔軟に対応するものである。
【００１０】
（２）上記（１）項において、前記管理手段は、前記外部ユーザの依頼に応じて、新たな外部ユーザの情報を、依頼を行った前記外部ユーザを親とする子ユーザとして、前記外部ユーザデータへ追加し、この親子関係を含めた新規外部ユーザの追加に、任意の親子階層数まで対応する外部ユーザ追加機能部と、前記外部ユーザデータ内の複数の外部ユーザ間の親子関係に基づいて、前記複数の外部ユーザの各々を複数の階層に分けると共に、前記外部端末へ前記貨物管理データの少なくとも一部を出力する際に、前記外部端末を用いてアクセスしている外部ユーザの前記階層に応じて、出力内容を制限する出力内容制限機能部と、を有する海運貨物管理システム（請求項２）。
【００１１】
本項に記載の海運貨物管理システムは、管理手段が、親子関係を含めて新規の外部ユーザを追加する外部ユーザ追加機能部と、外部ユーザの親子関係に基づいて外部端末への出力内容を制限する出力内容制限機能部とを有している。ここで、例えば、海運貨物の輸送に関わる業者間に受発注関係があり、本システムの外部ユーザデータに登録済の受注業者に対して、発注業者から海運貨物の輸送状況の情報を求められた、と仮定する。この場合に、外部ユーザ追加機能部は、外部ユーザデータに登録済の受注業者からの依頼に応じて、発注業者を新たな外部ユーザとして外部ユーザデータに追加し、この際、受注業者を親ユーザとする子ユーザとして、発注業者を登録する。すなわち、外部ユーザデータには、新規の外部ユーザである発注業者の情報と共に、受注業者である外部ユーザと、発注業者である外部ユーザとの間の親子関係が登録される。更に、外部ユーザ追加機能部は、このような外部ユーザ間の親子関係を含めた新規外部ユーザの追加に、本システムに対して任意に設定可能な親子階層数まで対応するものである。すなわち、上述した子ユーザを親ユーザとする新規外部ユーザの孫ユーザとしての追加、更に、この孫ユーザを親ユーザとする新規外部ユーザの追加、といったような、複数階層の親子関係を含む新規外部ユーザの追加に、任意の親子階層数まで対応するものである。
【００１２】
一方、出力内容制限機能部は、上述したように外部ユーザデータに含まれる、複数の外部ユーザ間の親子関係に基づいて、複数の外部ユーザの各々を複数の階層に分ける。例えば、３つの外部ユーザ間に、親ユーザ、子ユーザ、孫ユーザという、３階層の親子関係が設定されている場合は、親ユーザである外部ユーザを親階層、子ユーザである外部ユーザを子階層、孫ユーザである外部ユーザを孫階層へと分ける。そして、上記（１）項に記載したように、アクセスを許可した外部端末に対して貨物管理データの少なくとも一部を出力する際に、外部端末を用いてアクセスしている外部ユーザの階層、例えば、上述した親階層や子階層等の何れの階層であるかに応じて、出力内容を制限する。すなわち、例えば、本システムへ子ユーザがアクセスしている場合は、子階層の外部ユーザが閲覧可能な情報のみを外部端末へ出力し、本システムへ孫ユーザがアクセスしている場合は、孫階層の外部ユーザが閲覧可能な情報のみを外部端末へ出力する。
【００１３】
従って、本項に記載の海運貨物管理システムは、例えば、海運貨物の最終的な荷受人から輸送情報開示の要求があった場合でも、その最終的な荷受人から直接的又は間接的に業務を受注している、本システムの外部ユーザデータに登録済の受注業者の依頼に応じて、開示内容を制限しながら、輸送情報を開示するものとなる。このため、外部ユーザからの輸送情報開示の要求に柔軟に対応して、海運貨物の輸送状況の管理を円滑に行うものとなる。
【００１４】
（３）上記（１）（２）項において、写真を撮影する写真撮影機能部と、撮影した写真を前記海運貨物の写真データ及び前記コンテナの写真データとして、前記汎用ネットワークを介して前記管理手段へ格納する写真データ格納機能部とを有する、携帯端末を含む海運貨物管理システム（請求項３）。
本項に記載の海運貨物管理システムは、写真を撮影する写真撮影機能部と、撮影した写真を管理手段へ格納する写真データ格納機能部とを有する、携帯端末を含むものである。すなわち、この携帯端末は、例えば、海運貨物を輸送する船舶が着港した港湾等の、管理手段や管理端末から離れた遠隔地において、コンテナ内に収容された、船荷証券と紐付く海運貨物の写真や、コンテナの写真等を撮影するために利用され、撮影した写真をデータ化して保持する。そして、撮影した写真のデータを、上述した遠隔地から、インターネット等の汎用ネットワークを介して、船荷証券番号と紐付いた海運貨物の写真データや、コンテナ番号と紐付いたコンテナの写真データとして、管理手段へ格納する。これにより、例えば、船舶が着港した港湾等でデジタルカメラにより海運貨物やコンテナ等の写真を撮影し、デジタルカメラや写真データの保存媒体を管理端末のある場所まで移動して、管理端末から管理手段へ写真データを格納する場合と比較して、格段に時間を短縮するものとなる。このため、海運貨物の到着から時間を置かずに、海運貨物やコンテナ等の写真データを管理手段へ格納するものとなり、リアルタイムに海運貨物の輸送状況を管理するものとなる。なお、携帯端末は、例えば、貨物管理データとして登録されていないコンテナに紐付く写真データを格納する場合は、貨物管理データの不完全な新規データの一部として、写真データを管理手段へ格納するものである。そして、上記（１）項に記載した管理手段の管理データ登録機能部が、管理端末から入力される情報に基づいて、携帯端末から格納された写真データを含む不完全なデータに対して、不足している情報を充足するものである。
【００１５】
（４）上記（１）から（３）項において、前記管理手段は、前記専用ネットワークを介して前記蓄積手段及び前記管理端末と接続され、該管理端末をクライアント側とするサーバ側の機能を提供すると共に、前記蓄積手段から前記業務支援データを取得して、前記貨物管理データを生成及び保持する管理サーバと、前記専用ネットワークを介して前記管理サーバと接続されると共に、前記汎用ネットワークを介して前記外部端末と接続され、該外部端末のウェブブラウザに対して、前記貨物管理データの一部を出力するための入出力表示を提供するウェブサーバと、を含む海運貨物管理システム（請求項４）。
【００１６】
本項に記載の海運貨物管理システムは、管理手段が、専用ネットワークを介して蓄積手段及び管理端末と接続された管理サーバと、専用ネットワークを介して管理サーバと接続されると共に汎用ネットワークを介して外部端末と接続されたウェブサーバとを含むものである。管理サーバは、管理端末をクライアント側とするサーバ側の機能を提供し、又、蓄積手段から業務支援データを取得して、貨物管理データを生成及び保持する。すなわち、管理端末から入力される様々な要求に応じて、業務支援データと紐付いた貨物管理データの生成、更新、削除、出力等を行う。一方、ウェブサーバは、専用ネットワークと汎用ネットワークとの間の接続サーバであり、外部端末のウェブブラウザに対して、貨物管理データの一部を出力するための、様々な入出力表示を提供する。このような管理サーバ及びウェブサーバを利用することで、海運貨物の輸送状況の管理を、より効率的に行うものである。なお、本システムが上記（３）項に記載したような携帯端末を含む場合には、上述したウェブサーバは、汎用ネットワークを介して携帯端末とも接続され、携帯端末とデータ通信を行う。
【００１７】
（５）上記（４）項において、前記専用ネットワークに接続され、前記海運貨物の写真データ及び前記コンテナの写真データを含むファイルデータを保存するためのファイルサーバと、前記専用ネットワークに接続され、電子メールを配送するためのメールサーバと、を含み、前記管理手段は、前記専用ネットワーク内の、前記管理サーバ及び前記ウェブサーバと、前記蓄積手段及び前記ファイルサーバ及び前記メールサーバとの間に設置され、前記管理サーバ及び前記ウェブサーバからの、前記蓄積手段及び前記ファイルサーバ及び前記メールサーバに対する、前記業務支援データと前記ファイルデータとを含む各データの入出力を、統合して行うための中継サーバを含む海運貨物管理システム（請求項５）。
【００１８】
本項に記載の海運貨物管理システムは、専用ネットワークに接続され、海運貨物の写真データとコンテナの写真データとを含むファイルデータを保存するためのファイルサーバと、同じく専用ネットワークに接続され、電子メールを配送するためのメールサーバとを含んでいる。すなわち、例えば、海運貨物の写真データ、コンテナの写真データ、外部ユーザから提供されるファイルデータ等といった、貨物管理データの一部として取り込み可能なデータを含むファイルデータを、ファイルサーバへ保存する。又、メールサーバを利用して、例えば、外部ユーザデータに含まれる外部ユーザの電子メールアドレス宛てに、外部ユーザに対する通知事項等を送信する。
【００１９】
又、管理手段は、専用ネットワーク内の、管理サーバ及びウェブサーバと、蓄積手段及びファイルサーバ及びメールサーバとの間に設置された中継サーバを含んでいる。すなわち、管理サーバ及びウェブサーバと、蓄積手段及びファイルサーバ及びメールサーバとは、中継サーバを介して接続された態様となる。そして、中継サーバは、管理サーバ及びウェブサーバからの、蓄積手段及びファイルサーバ及びメールサーバに対する、業務支援データとファイルデータとを含む各データの入出力を、統合して行う。これにより、蓄積手段、ファイルサーバ、メールサーバに対する、管理端末及び管理サーバを介した管理ユーザからの要求や、外部端末及びウェブサーバを介した外部ユーザからの要求に、効率よく応答して、より円滑に海運貨物の輸送状況の管理を行うものとなる。
【００２０】
（６）海運貨物の輸送状況を管理するための海運貨物管理方法であって、蓄積手段と管理手段と管理端末とを含み、前記蓄積手段と前記管理手段と前記管理端末とが専用ネットワークで接続された海運貨物管理システムを用い、海運貨物に対して発行された船荷証券の船荷証券番号を含む船荷証券データと、海運貨物を収容しているコンテナのコンテナ番号を含むコンテナデータと、を含む業務支援データを前記蓄積手段へ蓄積し、前記管理手段により、前記蓄積手段から前記業務支援データを取得して、該業務支援データと紐付けて貨物管理データを生成し、前記管理端末から、前記管理手段に対して前記貨物管理データの管理に係る情報を入出力することで、前記貨物管理データの管理を行い、前記管理手段により、前記管理端末を利用する管理ユーザの管理ユーザデータと、汎用ネットワークを介して前記海運貨物管理システムを利用する外部ユーザの外部ユーザデータとを含むユーザデータを保持し、前記外部ユーザデータに基づいて、前記汎用ネットワークを介してアクセスしてきた外部端末のアクセス可否を判断すると共に、アクセスを許可した外部端末に対して前記貨物管理データの少なくとも一部を出力し、又、前記管理端末から入力される、前記業務支援データに含まれていないコンテナの情報を、前記貨物管理データの新規データとして登録し、前記貨物管理データに、前記船荷証券番号と紐付く海運貨物の写真データと、前記コンテナ番号と紐付くコンテナの写真データとを含める海運貨物管理方法（請求項６）。
【００２１】
（７）上記（６）項において、前記管理手段により、前記外部ユーザの依頼に応じて、新たな外部ユーザの情報を、依頼を行った前記外部ユーザを親とする子ユーザとして、前記外部ユーザデータへ追加し、この親子関係を含めた新規外部ユーザの追加に、任意の親子階層数まで対応し、更に、前記外部ユーザデータ内の複数の外部ユーザ間の親子関係に基づいて、前記複数の外部ユーザの各々を複数の階層に分けると共に、前記外部端末へ前記貨物管理データの少なくとも一部を出力する際に、前記外部端末を用いてアクセスしている外部ユーザの前記階層に応じて、出力内容を制限する海運貨物管理方法（請求項７）。
（８）上記（６）（７）項において、前記海運貨物管理システムが携帯端末を含み、該携帯端末により、コンテナ内に収容された船荷証券に紐付く海運貨物及びコンテナの写真を撮影し、撮影した写真を前記海運貨物の写真データ及び前記コンテナの写真データとして、前記汎用ネットワークを介して前記管理手段へ格納する海運貨物管理方法（請求項８）。
【００２２】
（９）上記（６）から（８）項において、前記管理手段が、前記専用ネットワークを介して前記蓄積手段及び前記管理端末と接続された管理サーバと、前記専用ネットワークを介して前記管理サーバと接続されると共に前記汎用ネットワークを介して前記外部端末と接続されたウェブサーバとを含み、前記管理サーバにより、前記管理端末をクライアント側とするサーバ側の機能を提供すると共に、前記蓄積手段から前記業務支援データを取得して、前記貨物管理データを生成及び保持し、前記ウェブサーバにより、前記外部端末のウェブブラウザに対して、前記貨物管理データの一部を出力するための入出力表示を提供する海運貨物管理方法（請求項９）。
（１０）上記（９）項において、前記海運貨物管理システムが、前記専用ネットワークに接続され、前記海運貨物の写真データ及び前記コンテナの写真データを含むファイルデータを保存するためのファイルサーバと、前記専用ネットワークに接続され、電子メールを配送するためのメールサーバとを含み、前記管理手段が、前記専用ネットワーク内の、前記管理サーバ及び前記ウェブサーバと、前記蓄積手段及び前記ファイルサーバ及び前記メールサーバとの間に設置された中継サーバを含み、前記中継サーバにより、前記管理サーバ及び前記ウェブサーバからの、前記蓄積手段及び前記ファイルサーバ及び前記メールサーバに対する、前記業務支援データと前記ファイルデータとを含む各データの入出力を、統合して行う海運貨物管理方法（請求項１０）。
【００２３】
そして、（６）〜（１０）項の海運貨物管理方法は、各々、上記（１）〜（５）項に記載の海運貨物管理システムを用いて実行されることで、上記（１）〜（５）項の海運貨物管理システムに対応する同等の作用を奏するものである。
【発明の効果】
【００２４】
本発明は上記のような構成であるため、海運貨物の輸送状況の管理を効率よく行うことが可能となる。
【図面の簡単な説明】
【００２５】
【図１】本発明の実施の形態に係る海運貨物管理システムの構成の一例を概略的に示すイメージ図である。
【図２】本発明の実施の形態に係る海運貨物管理システムにおいて、外部ユーザを階層的に追加する様子を示すイメージ図である。
【図３】本発明の実施の形態に係る海運貨物管理システムにおいて、携帯端末から管理手段へ写真データを格納する際の処理イメージ図である。
【発明を実施するための形態】
【００２６】
以下、本発明を実施するための形態を、添付図面に基づき説明する。なお、図面の全体にわたって、同一部分は同一符号で示している。
図１は、本発明の実施の形態に係る海運貨物管理システム１０の構成の一例を、概略的に示している。図示のように、海運貨物管理システム１０は、管理手段１２、蓄積手段２０、メールサーバ２２、ファイルサーバ２４、管理端末２６、及び、携帯端末３０を含んでいる。管理手段１２は、管理サーバ１４、中継サーバ１６、ウェブサーバ１８を含んでおり、これらの間は、専用ネットワークＰＮ１により接続されていると共に、ウェブサーバ１８と、管理サーバ１４及び中継サーバ１６との間に、ファイヤウォール３２が構築されている。
【００２７】
管理サーバ１４は、専用ネットワークＰＮ３を介して、管理端末２６（図１の例では、３台の管理端末２６ａ、２６ｂ、２６ｃ）と接続されており、中継サーバ１６は、専用ネットワークＰＮ２を介して、蓄積手段２０、メールサーバ２２、ファイルサーバ２４と接続されている。又、ウェブサーバ１８は、汎用ネットワークＧＮを介して、携帯端末３０（図１の例では、２台の携帯端末３０ａ、３０ｂ）と、汎用ネットワークＧＮに接続可能な任意の外部端末２８（図１の例では、２台の外部端末２８ａ、２８ｂ）とに接続されている。ここで、専用ネットワークＰＮ１、ＰＮ２、ＰＮ３は、社内ＬＡＮ等で構築される内部ネットワークであり、汎用ネットワークＧＮは、インターネット等の外部ネットワークである。
【００２８】
蓄積手段２０は、業務支援データを蓄積するものであり、この業務支援データには、海運貨物に対して発行された船荷証券の船荷証券データや、海運貨物を収容しているコンテナのコンテナデータ等が含まれている。より具体的に、業務支援データには、例えば、船荷証券番号、コンテナ番号、海運貨物を輸送している船舶の名称、同船舶の入港日、海運貨物の輸送を発注したユーザ名等が含まれている。
【００２９】
管理サーバ１４は、中継サーバ１６を介して、蓄積手段２０から上述した業務支援データを取得し、取得した業務支援データと紐付いた貨物管理データを、例えば、データベースとして生成し、保持する。ここで、貨物管理データは、業務支援データと紐付いて、海運貨物の輸送状況の管理を行うために必要な様々な情報が付加されたものである。具体的に、貨物管理データには、例えば、業務支援データに含まれるデータの他に、船荷証券番号と紐付く海運貨物の写真データ、コンテナ番号と紐付くコンテナの写真データ、海運貨物に対するＤ／Ｏ  ＬＥＳＳ指示（荷渡指図書の発行なしで貨物の受け渡しをする指示）の有無、海運貨物の輸送を発注したユーザに対する請求金額等が含まれている。
【００３０】
更に、管理サーバ１４は、各管理端末２６をクライアント側とするサーバ側の機能を提供する。すなわち、各管理端末２６からの要求に応答して、各管理端末２６とデータの送受信を行う。管理端末２６（２６ａ、２６ｂ、２６ｃ）の各々には、貨物管理データを管理するための様々な情報の入出力を、管理サーバ１４に対して行うためのアプリケーションが導入されている。例えば、貨物管理データに含まれるデータの、入力、変更、削除等が、管理端末２６を介して、管理サーバ１４が保持している貨物管理データに対して実行される。
【００３１】
中継サーバ１６は、専用ネットワークＰＮ１と、専用ネットワークＰＮ２とを中継する位置に設置されており、管理サーバ１４及びウェブサーバ１８から、蓄積手段２０、メールサーバ２２、ファイルサーバ２４に対する各データの入出力を、統合して行うものである。又、メールサーバ２２は、海運貨物管理システム１０から送信する電子メール、例えば、後述する外部ユーザに対して送信する通知メール等を、汎用ネットワークＧＮを介して送信するためのものである。ファイルサーバ２４は、貨物管理データの一部として取り込むことができるデータを含む、任意のファイルデータを保存するためのものである。例えば、海運貨物の写真データ、コンテナの写真データ、外部ユーザから提供される任意のファイルデータ等が、ファイルサーバ２４に保存される。
【００３２】
ウェブサーバ１８は、汎用ネットワークＧＮを介してアクセスしてきた外部端末２８（２８ａ、２８ｂ）のウェブブラウザに対して、貨物管理データの一部を出力するための入出力表示を提供する。例えば、海運貨物管理システム１０にログインするためのログイン表示、船荷証券データの一覧表示、コンテナデータの一覧表示等を提供する。更に、ウェブサーバ１８は、携帯端末３０からの要求に応じて、管理サーバ１４からの貨物管理データ取得の中継や、管理サーバ１４及びファイルサーバ２４への写真データ格納の中継等を行う。携帯端末３０（３０ａ、３０ｂ）は、写真を撮影する写真撮影機能部５０と、撮影した写真を写真データとして管理サーバ１４及びファイルサーバ２４へ格納する写真データ格納機能部５２とを備えている。例えば、携帯端末３０には、上述した写真データ格納機能部５２を含む各機能を実現するためのアプリケーションが、予めインストールされている。
【００３３】
又、管理手段１２は、管理サーバ１４と中継サーバ１６とウェブサーバ１８とが、相互に機能することにより実現される、複数の機能部（図１の例では、５つの機能部４０、４２、４４、４６、４８のみ図示している）を備えている。例えば、ユーザデータ保持機能部４０は、管理端末２６を利用して貨物管理データの管理を行う管理ユーザの管理ユーザデータと、汎用ネットワークＧＮを介して海運貨物管理システム１０を利用する外部ユーザの外部ユーザデータとを含む、ユーザデータを保持する。管理ユーザデータには、例えば、各管理ユーザの、ＩＤ、パスワード、部所等が含まれている。又、外部ユーザデータには、例えば、各外部ユーザの、ＩＤ、パスワード、会社名、メールアドレス等が含まれている。又、データ出力機能部４２は、上述した外部ユーザデータに基づいて、外部端末２８を介してアクセスしてきた外部ユーザのアクセス可否を判断し、アクセスを許可した外部ユーザの外部端末２８に対して、外部端末２８から要求された貨物管理データの一部を出力する。一方、管理データ登録機能部４８は、蓄積手段２２に蓄積されている業務支援データではなく、管理端末２６から入力される情報に基づいて、貨物管理データの新規データを登録する。例えば、業務支援データとして情報が蓄積されていないコンテナの、写真データを、そのコンテナのコンテナ番号等と共に、貨物管理データの新規データとして登録する。この際、写真データは、管理端末２６から格納してもよく、或いは、後述するように、携帯端末３０から格納されたものであってもよい。外部ユーザ追加機能部４４及び出力内容制限機能部４６については、後で詳しく説明する。
【００３４】
なお、管理サーバ１４、中継サーバ１６、ウェブサーバ１８、蓄積手段２０、メールサーバ２２、及び、ファイルサーバ２４は、各々、上述したような機能を実行可能なサーバとなり得る、任意のコンピュータを用いることができる。又、管理端末２６は、管理サーバ１４をサーバ側とするクライアント側の機能を実行可能な、任意のコンピュータを利用することができ、外部端末２８は、上述した如く、汎用ネットワークＧＮに接続可能な任意のコンピュータを利用することができる。又、携帯端末３０として、例えば、写真撮影機能を備えた高機能携帯電話（スマートフォン）等が利用可能である。
【００３５】
次に、図２を参照して、管理手段１２により実現される外部ユーザ追加機能部４４及び出力内容制限機能部４６について説明する。なお、図２では、外部ユーザ３６ａが海運貨物管理システム１０の外部ユーザデータに登録済の業者、外部ユーザ３６ｂが外部ユーザ３６ａへ海運貨物の輸送に係る業務を依頼した業者、外部ユーザ３６ｃが外部ユーザ３６ｂへ海運貨物の輸送に係る業務を依頼した業者であると仮定する。
【００３６】
外部ユーザ追加機能部４４は、外部ユーザの依頼に応じて、新たな外部ユーザの情報を、依頼を行った外部ユーザを親とする子ユーザとして外部ユーザデータへ追加する。すなわち、図２の例では、外部ユーザ３６ａから、外部端末２８ａを介して、外部ユーザ３６ｂを新たな外部ユーザとして、海運貨物管理システム１０にアクセスできるように登録して欲しいという依頼が来る。外部ユーザ追加機能部４４は、管理端末２６を介して管理ユーザ３４から承認を受けて、外部ユーザ３６ｂの情報を、外部ユーザ３６ａを親ユーザとする子ユーザとして、外部ユーザデータへ追加する。これにより、外部ユーザ３６ｂは、海運貨物管理システム１０へアクセスできるようになる。更に、外部ユーザ追加機能部４４は、上述した如く外部ユーザデータへ登録された、外部ユーザ３６ｂの依頼に応じて、外部ユーザ３６ｃの情報を、外部ユーザ３６ｂを親ユーザとする子ユーザとして、外部ユーザデータへ追加する。これにより、外部ユーザ３６ａが親ユーザ、外部ユーザ３６ｂが子ユーザ、外部ユーザ３６ｃが孫ユーザという、３階層の親子関係を含めて、外部ユーザデータに外部ユーザ３６ａ、３６ｂ、３６ｃの情報が登録される。このように、外部ユーザ追加機能部４４は、上記のような親子関係を含めた新規外部ユーザの追加に、例えば、管理ユーザ３４により設定される、任意の親子階層数まで対応する。
【００３７】
一方、出力内容制限機能部４６は、外部ユーザデータ内の複数の外部ユーザ間の親子関係に基づいて、複数の外部ユーザの各々を複数の階層に分ける。すなわち、図２の例では、外部ユーザデータに登録されている、３人の外部ユーザ３６ａ、３６ｂ、３６ｃの親子関係に基づいて、例えば、外部ユーザ３６ａを第１階層、外部ユーザ３６ｂを第２階層、外部ユーザ３６ｃを第３階層へ設定する。そして、出力内容制限機能部４６は、上述したデータ出力機能部４２により、外部端末２８へ貨物管理データの少なくとも一部を出力する際に、外部端末２８を用いてアクセスしている外部ユーザ３６の階層に応じて、出力内容を制限する。すなわち、第１階層に設定された外部ユーザ３６ａに対して、貨物管理データを出力する場合は、親ユーザに対して閲覧が許可されている内容のみを、外部ユーザ３６ａの外部端末２８ａへ出力する。同様に、第２階層に設定された外部ユーザ３６ｂに対しては、子ユーザに対して閲覧が許可されている内容のみを、外部ユーザ３６ｂの外部端末２８ｂへ出力し、第３階層に設定された外部ユーザ３６ｃに対しては、孫ユーザに対して閲覧が許可されている内容のみを、外部ユーザ３６ｃの外部端末２８ｃへ出力する。なお、各階層の外部ユーザに対する閲覧内容の制限は、例えば、各外部ユーザの親ユーザに当たる外部ユーザや、管理ユーザによって設定される。
【００３８】
続いて、図３を参照しながら、海運貨物管理システム１０において、携帯端末３０から写真データを格納する場合の処理について説明する。
まず、携帯端末３０には、例えば、上述したアプリケーションにより、マスタダウンロードＭ１、写真登録Ｍ２、写真削除Ｍ３、及び、写真アップロードＭ４を含む、メインメニューＭが表示される。マスタダウンロードＭ１は、管理サーバ１４から貨物管理データのマスタデータを取得するためのものである。マスタダウンロードＭ１が実行されると、携帯端末３０の操作者のユーザＩＤ及びパスワードと、携帯端末３０の端末ＩＤとが、携帯端末３０からウェブサーバ１８へ送信される。ウェブサーバ１８は、送信された情報に基づいて、操作者及び携帯端末３０を識別した後、管理サーバ１４のデータベースＤ１から、貨物管理データのマスタデータを取得する。ここで、マスタデータには、例えば、船荷証券番号等を含む船荷証券（ＢＬ）マスタ、コンテナ番号等を含むコンテナマスタ、海運貨物管理システム１０を所有する会社の部所マスタ等が含まれている。そして、ウェブサーバ１８は、管理サーバ１４から取得したマスタデータを、携帯端末３０へ送信する。携帯端末３０は、ウェブサーバ１８から取得したマスタデータを、携帯端末３０内に構築されるローカルデータベースＤ２へ格納する。
【００３９】
次に、写真登録Ｍ２、写真削除Ｍ３について説明する。これらの説明は、海運貨物の写真を取り扱う場合を例にして説明するものとする。
写真登録Ｍ２は、船荷証券番号やコンテナ番号等と紐付けて、写真を撮影及び保存するためのものである。写真登録Ｍ２が実行されると、ローカルデータベースＤ２からＢＬマスタ及びコンテナマスタが参照され、例えば、登録する写真と紐付けるための、船荷証券番号やコンテナ番号を選択できる画面が表示される。ここでは、これから撮影する海運貨物に対して発行された船荷証券の船荷証券番号が選択された状態で、携帯端末３０の写真撮影機能部５０により、海運貨物の写真が撮影される。撮影された海運貨物の写真は、データ化されて、携帯端末３０内の写真格納フォルダＦ１へ追加され、同時に、船荷証券番号と紐付けられた写真データの格納パスが、携帯端末３０内に構築されるローカルデータベースＤ３へ格納される。
【００４０】
又、写真削除Ｍ３は、保存されている写真データを削除するためのものである。写真削除Ｍ３が実行されると、ローカルデータベースＤ２からＢＬマスタ及びコンテナマスタが参照され、例えば、削除する写真と紐付けられている、船荷証券番号やコンテナ番号を選択できる画面が表示される。ここでは、これから削除する海運貨物の写真データと紐付けられている船荷証券番号が選択され、更に、同一の船荷証券番号に複数の写真データが紐付けられている場合には、削除したい海運貨物の写真データが選択される。選択された海運貨物の写真データは、写真格納フォルダＦ１から削除され、同時に、ローカルデータベースＤ３から、船荷証券番号と紐付けられた写真データの格納パスが削除される。
【００４１】
一方、写真アップロードＭ４は、管理サーバ１４及びファイルサーバ２４へ、写真データを格納するためのものである。写真アップロードＭ４が実行されると、ローカルデータベースＤ３に格納されている写真の格納パスに基づき、写真格納フォルダＦ１から写真データが出力される。そして、携帯端末３０の操作者のユーザＩＤ及びパスワード、携帯端末３０の端末ＩＤ、アップロードする写真データに紐付けられている船荷証券番号（ＢＬＮＯ）やコンテナ番号（コンテナＮＯ）、及び、写真データファイルが、携帯端末３０からウェブサーバ１８へ送信される。ウェブサーバ１８は、送信された情報に基づいて、操作者及び携帯端末３０を識別した後、管理サーバ１４のデータベースＤ１へ、船荷証券番号やコンテナ番号と紐付けて写真データを格納し、又、ファイルサーバ２４の共有フォルダＦ２へ、保存のために写真データを移動する。
なお、上記では、マスタデータとして取得できる船荷証券データやコンテナデータと紐付けて、写真データを格納する場合について説明したが、情報がマスタデータとして取得できない（貨物管理データとして登録されていない）コンテナに対応する写真データを登録することも可能である。この場合は、写真登録Ｍ２を実行する際に、例えば、これから撮影する写真データと紐付けるコンテナ番号等を手動で入力し、或いは、写真データと紐付けるコンテナ番号等を入力及び選択せずに、コンテナの写真を撮影する。そして、写真アップロードＭ４を実行する際に、マスタデータと紐付かない不完全なデータとして、写真データを管理サーバ１４のデータベースＤ１へ格納する。その後、携帯端末３０から格納された写真データを含む不完全なデータに対して、管理端末２６から不足している情報を入力し、貨物管理データの新規データとして登録すればよい。又、管理サーバ１４のデータベースＤ１に格納された写真データは、管理端末２６からの操作によって、貨物管理データとして残しておくか否かが選択され、不要な写真データはデータベースＤ１上から削除される。
【００４２】
続いて、上述した機能やその他の機能を含み、本発明の実施の形態に係る海運貨物管理システム１０で実現される一部の機能について、簡単に説明する。なお、以下に説明する各機能は、本発明の実施の形態に係る海運貨物管理システム１０で実現される機能の一例であり、本発明の実施の形態に係る海運貨物管理システム１０を限定するものではない。
（管理ユーザへ提供される機能）
船荷証券データ管理：業務支援データの船荷証券データと紐付けて、船荷証券に関する様々な情報を、貨物管理データとして登録し、管理する。
コンテナデータ管理：業務支援データのコンテナデータと紐付けて、コンテナに関する様々な情報を、貨物管理データとして登録し、管理する。
海運貨物及びコンテナの写真管理：管理端末２６等から、船荷証券データ及びコンテナデータと紐付けて、海運貨物の写真データ及びコンテナの写真データを、貨物管理データとして登録し、管理する。
【００４３】
携帯端末からの写真登録：携帯端末３０から、船荷証券データ及びコンテナデータと紐付けて、海運貨物の写真データ及びコンテナの写真データを、貨物管理データとして登録する。詳しくは、上述した図３を用いた説明を参照のこと。
Ｄ／Ｏ  ＬＥＳＳ受理登録：外部ユーザからＤ／Ｏ  ＬＥＳＳ指示があった場合に、対象の海運貨物に対するＤ／Ｏ  ＬＥＳＳ指示を受理したことを、貨物管理データとして登録する。
メッセージ管理：外部ユーザに対するメッセージの登録、メッセージへの電子文書や電子データ等の添付、外部ユーザとのメッセージ履歴の表示等を行う。
入金データ管理：外部ユーザからの入金のデータの登録、変更等を行う。
外部ユーザ管理：外部ユーザ情報の登録や変更、外部ユーザから依頼された新規外部ユーザの登録承認、外部ユーザの子ユーザとして登録可能なユーザ数の設定、外部ユーザに対する貨物管理データの開示範囲の設定等を行う。
【００４４】
（外部ユーザへ提供される機能）
船荷証券データ表示：貨物管理データに含まれる、船荷証券に関する様々な情報を表示する（開示範囲の制限あり）。
コンテナデータ表示：貨物管理データに含まれる、コンテナに関する様々な情報を表示する（開示範囲の制限あり）。
海運貨物及びコンテナの写真表示：船荷証券データ及びコンテナデータと紐付けられた、海運貨物の写真及びコンテナの写真を表示する。
Ｄ／Ｏ  ＬＥＳＳ指示登録：海運貨物に対するＤ／Ｏ  ＬＥＳＳ指示を登録する。
メッセージ管理：当該外部ユーザを親ユーザとする子ユーザ又は管理ユーザに対するメッセージの登録、メッセージへの電子文書や電子データ等の添付、子ユーザ又は管理ユーザとのメッセージ履歴の表示等を行う。
子ユーザ管理：当該外部ユーザを親ユーザとする子ユーザの登録依頼、子ユーザに対する貨物管理データの開示範囲の設定等を行う。
【００４５】
（その他の機能）
業務支援データの定期取得：蓄積手段２０から管理サーバ１４への業務支援データの取得を、定期的に起動するバッチ処理により行う。この際、状況に応じて、取得対象範囲の業務支援データの完全取得、或いは、取得対象範囲の業務支援データの更新部分のみの取得を行う。
ユーザ通知：外部ユーザに宛てられたメッセージの存在を、外部ユーザに電子メールで通知する。又、管理ユーザに宛てられたメッセージの存在を、管理端末２６へのポップアップ表示等で管理ユーザに通知する。
【００４６】
さて、上記構成をなす本発明の実施の形態によれば、次のような作用効果を得ることが可能である。すなわち、本発明の実施の形態に係る海運貨物管理システム１０は、図１に示すように、業務支援データを蓄積する蓄積手段２０と、貨物管理データを生成及び管理するための管理手段１２と、管理手段１２に対して貨物管理データの管理に係る情報を入出力するための管理端末２６（２６ａ、２６ｂ、２６ｃ）とを含んでいる。これらは、社内ＬＡＮ等で構築された適切な専用ネットワークＰＮ２、ＰＮ３に接続されており、必要に応じて、専用ネットワークＰＮ２、ＰＮ３を介して互いにデータ通信を行う。蓄積手段２０が蓄積する業務支援データには、海運貨物に対して発行された船荷証券の船荷証券番号を含む船荷証券データと、海運貨物を収容しているコンテナのコンテナ番号を含むコンテナデータとが含まれている。又、管理手段１２が生成及び管理する貨物管理データは、管理手段１２が専用ネットワークＰＮ２を介して蓄積手段２０から取得する業務支援データと紐付けられて生成される。すなわち、貨物管理データは、例えば、船荷証券データやコンテナデータと紐付けられて、海運貨物の輸送状況を管理する上での、適切なデータ形態や付加情報を伴って生成される。
【００４７】
管理手段１２は、ユーザデータを保持するユーザデータ保持機能部４０を有しており、このユーザデータには、管理ユーザデータと外部ユーザデータとが含まれている。ここで、管理ユーザデータは、管理端末２６から管理手段１２に対して情報を入出力することで、主に、上述した貨物管理データの管理業務を行う、管理ユーザ３４（図２参照）に関するデータであり、例えば、管理ユーザ３４のＩＤやパスワード等を含んでいる。又、外部ユーザデータは、インターネット等の汎用ネットワークＧＮを介して本システム１０を利用する、外部ユーザ３６（図２参照）に関するデータであり、例えば、外部ユーザ３６のＩＤやパスワード等を含んでいる。更に、管理手段１２は、外部端末２８（２８ａ、２８ｂ）のアクセス可否を判断し、アクセスを許可した外部端末２８に対して貨物管理データの少なくとも一部を出力するデータ出力機能部４２を有している。すなわち、上述した外部ユーザデータに基づいて、外部端末２８を操作している外部ユーザ３６の、本システム１０に対するアクセス可否を判断する。そして、外部端末２８を操作している外部ユーザ３６が、外部ユーザデータに登録されている外部ユーザである場合は、外部端末２８を介して要求された、貨物管理データの少なくとも一部を、外部端末２８に対して出力する。又、管理手段１２は、貨物管理データに新規データを登録する管理データ登録機能部４８を有している。すなわち、業務支援データと紐付けて生成される貨物管理データの他に、管理ユーザ３４によって管理端末２６から入力される、業務支援データに含まれていないコンテナの情報を、貨物管理データの新規データとして登録する。これにより、例えば、業務支援データとして情報が蓄積されていないコンテナに関する情報であっても、管理端末２６から入力されることによって、貨物管理データとして登録することができるため、管理対象とする海運貨物の範囲を広げることができる。
【００４８】
更に、本発明の実施の形態に係る海運貨物管理システム１０は、管理端末２６を介して管理ユーザ３４が管理を行い、外部端末２８を介して外部ユーザ３６に対して出力される、貨物管理データに、船荷証券番号と紐付く海運貨物の写真データと、コンテナ番号と紐付くコンテナの写真データとが含まれている。すなわち、船荷証券番号に紐付いて船荷証券データに付加される海運貨物の写真データと、コンテナ番号に紐付いてコンテナデータに付加されるコンテナの写真データとを、本システム１０を介して、管理ユーザ３４と外部ユーザ３６との間で共有することができる。従って、外部ユーザ３６から海運貨物の写真データやコンテナの写真データを要求された場合であっても、電子メールやＦＡＸを利用して送信する必要がないため、海運貨物の輸送状況の管理を効率よく行うことが可能となる。又、管理手段１２の管理データ登録機能部４８は、業務支援データとして情報が蓄積されていないコンテナの、写真データを、管理端末２６から入力されるコンテナ番号と共に、貨物管理データの新規データとして登録する。このように、業務支援データとして情報が蓄積されていないコンテナに紐付けられる写真データの登録にも、柔軟に対応することができる。
【００４９】
又、本発明の実施の形態に係る海運貨物管理システム１０は、管理手段１２が、親子関係を含めて新規の外部ユーザ３６を追加する外部ユーザ追加機能部４４と、外部ユーザ３６の親子関係に基づいて外部端末２８への出力内容を制限する出力内容制限機能部４６とを有している。ここで、例えば、図２に示すように、海運貨物の輸送に関わる業者３６ａ、３６ｂ、３６ｃ間に受発注関係があり、本システム１０の外部ユーザデータに登録済の受注業者３６ａに対して、発注業者３６ｂから海運貨物の輸送状況の情報を求められた、と仮定する。この場合に、外部ユーザ追加機能部４４は、外部ユーザデータに登録済の受注業者３６ａからの依頼に応じて、発注業者３６ｂを新たな外部ユーザとして外部ユーザデータに追加し、この際、受注業者３６ａを親ユーザとする子ユーザとして、発注業者３６ｂを登録する。すなわち、外部ユーザデータには、新規の外部ユーザである発注業者３６ｂの情報と共に、受注業者である外部ユーザ３６ａと、発注業者である外部ユーザ３６ｂとの間の親子関係が登録される。更に、外部ユーザ追加機能部４４は、このような外部ユーザ間の親子関係を含めた新規外部ユーザの追加に、本システム１０に対して任意に設定可能な親子階層数まで対応するものである。すなわち、上述した子ユーザ３６ｂを親ユーザとする新規外部ユーザ３６ｃの孫ユーザとしての追加、更に、この孫ユーザ３６ｃを親ユーザとする新規外部ユーザの追加、といったような、複数階層の親子関係を含む新規外部ユーザの追加に、任意の親子階層数まで対応することができる。
【００５０】
一方、出力内容制限機能部４６は、上述したように外部ユーザデータに含まれる、複数の外部ユーザ３６間の親子関係に基づいて、複数の外部ユーザ３６の各々を複数の階層に分ける。例えば、図２に示すように、外部ユーザ３６ａ、３６ｂ、３６ｃの間に、親ユーザ、子ユーザ、孫ユーザという、３階層の親子関係が設定されている場合は、親ユーザである外部ユーザ３６ａを親階層、子ユーザである外部ユーザ３６ｂを子階層、孫ユーザである外部ユーザ３６ｃを孫階層へと分ける。そして、上述したデータ出力機能部４２により、アクセスを許可した外部端末２８に対して貨物管理データの少なくとも一部を出力する際に、外部端末２８を用いてアクセスしている外部ユーザ３６の階層、例えば、上述した親階層や子階層等の何れの階層であるかに応じて、出力内容を制限する。すなわち、例えば、本システム１０へ子ユーザ３６ｂがアクセスしている場合は、子階層の外部ユーザが閲覧可能な情報のみを外部端末２８へ出力し、本システム１０へ孫ユーザ３６ｃがアクセスしている場合は、孫階層の外部ユーザが閲覧可能な情報のみを外部端末２８へ出力する。
【００５１】
従って、本発明の実施の形態に係る海運貨物管理システム１０は、例えば、海運貨物の最終的な荷受人から輸送情報開示の要求があった場合でも、その最終的な荷受人から直接的又は間接的に業務を受注している、本システム１０の外部ユーザデータに登録済の受注業者の依頼に応じて、開示内容を制限しながら、輸送情報を開示することができる。このため、外部ユーザ３６からの輸送情報開示の要求に柔軟に対応することができ、海運貨物の輸送状況の管理を円滑に行うことが可能となる。
【００５２】
又、本発明の実施の形態に係る海運貨物管理システム１０は、図１に示すように、写真を撮影する写真撮影機能部５０と、撮影した写真を管理手段１２へ格納する写真データ格納機能部５２とを有する、携帯端末３０（３０ａ、３０ｂ）を含むものである。すなわち、この携帯端末３０は、例えば、海運貨物を輸送する船舶が着港した港湾等の、管理手段１２や管理端末２６から離れた遠隔地において、コンテナ内に収容された、船荷証券と紐付く海運貨物の写真や、コンテナの写真等を撮影するために利用され、撮影した写真をデータ化して保持する（図３のＭ２参照）。そして、撮影した写真のデータを、上述した遠隔地から、インターネット等の汎用ネットワークＧＮを介して、船荷証券番号と紐付いた海運貨物の写真データや、コンテナ番号と紐付いたコンテナの写真データとして、管理手段１２へ格納する（図３のＭ４参照）。これにより、例えば、船舶が着港した港湾等でデジタルカメラにより海運貨物やコンテナ等の写真を撮影し、デジタルカメラや写真データの保存媒体を管理端末２６のある場所まで移動して、管理端末２６から管理手段１２へ写真データを格納する場合と比較して、格段に時間を短縮することができる。このため、海運貨物の到着から時間を置かずに、海運貨物やコンテナ等の写真データを管理手段１２へ格納することができ、リアルタイムに海運貨物の輸送状況を管理することが可能となる。
【００５３】
更に、本発明の実施の形態に係る海運貨物管理システム１０は、管理手段１２が、専用ネットワークＰＮ１、ＰＮ２、ＰＮ３を介して蓄積手段２０及び管理端末２６と接続された管理サーバ１４と、専用ネットワークＰＮ１を介して管理サーバ１４と接続されると共に、汎用ネットワークＧＮを介して外部端末２８及び携帯端末３０と接続されたウェブサーバ１８とを含むものである。管理サーバ１４は、管理端末２６をクライアント側とするサーバ側の機能を提供し、又、蓄積手段２０から業務支援データを取得して、貨物管理データを生成及び保持する。すなわち、管理端末２６から入力される様々な要求に応じて、業務支援データと紐付いた貨物管理データの生成、更新、削除、出力等を行う。一方、ウェブサーバ１８は、専用ネットワークＰＮと汎用ネットワークＧＮとの間の接続サーバであり、外部端末２８のウェブブラウザに対して、貨物管理データの一部を出力するための、様々な入出力表示を提供する。又、ウェブサーバ１８は、携帯端末３０からの要求に応じて、管理サーバ１４からのマスタデータの取得や、管理サーバ１４等に対する写真データの格納等の、中継を行う（図３参照）。このような管理サーバ１４及びウェブサーバ１８を利用することで、海運貨物の輸送状況の管理を、より効率的に行うことができる。
【００５４】
又、本発明の実施の形態に係る海運貨物管理システム１０は、専用ネットワークＰＮ２に接続され、海運貨物の写真データとコンテナの写真データとを含むファイルデータを保存するためのファイルサーバ２４と、同じく専用ネットワークＰＮ２に接続され、電子メールを配送するためのメールサーバ２２とを含んでいる。すなわち、貨物管理データの一部として取り込み可能なデータを含むファイルデータ（写真データ、外部ユーザから提供されたファイル等）を、ファイルサーバ２４へ保存する。又、メールサーバ２２を利用して、例えば、外部ユーザデータに含まれる外部ユーザ３６の電子メールアドレス宛てに、外部ユーザ３６に対する通知事項等を送信する。
【００５５】
又、管理手段１２は、専用ネットワークＰＮ内の、管理サーバ１４及びウェブサーバ１８と、蓄積手段２０及びファイルサーバ２４及びメールサーバ２２との間に設置された中継サーバ１６を含んでいる。すなわち、管理サーバ１４及びウェブサーバ１８と、蓄積手段２０及びファイルサーバ２４及びメールサーバ２２とは、中継サーバ１６を介して接続された態様となる。そして、中継サーバ１６は、管理サーバ１４及びウェブサーバ１８からの、蓄積手段２０及びファイルサーバ２４及びメールサーバ２２に対する、業務支援データとファイルデータとを含む各データの入出力を、統合して行う。これにより、蓄積手段２０、ファイルサーバ２４、メールサーバ２２に対する、管理端末２６及び管理サーバ１４を介した管理ユーザ３４からの要求や、外部端末２８及びウェブサーバ１８を介した外部ユーザ３６からの要求に、効率よく応答することができるため、より円滑に海運貨物の輸送状況の管理を行うことが可能となる。
【００５６】
一方、本発明の実施の形態に係る海運貨物管理方法は、上述した本発明の実施の形態に係る海運貨物管理システム１０によって実行されることにより、本発明の実施の形態に係る海運貨物管理システム１０に対応する同等の作用効果を奏するものである。
なお、図１に示した海運貨物管理システム１０の構成は一例であり、本発明の実施の形態に係る海運貨物管理システム１０の構成を限定するものではない。例えば、管理端末２６（２６ａ、２６ｂ、２６ｃ）、携帯端末３０（３０ａ、３０ｂ）、及び、本システム１０にアクセスする外部端末２８（２８ａ、２８ｂ）の、各々の数量は、図１の例より多くてもよく、或いは、少なくてもよい。又、蓄積手段２０は、例えば、業務支援データの内容に応じて別々にデータを蓄積するものとして、複数の蓄積手段２０が設置されていてもよい。更に、管理手段１２は、管理サーバ１４と中継サーバ１６とウェブサーバ１８とによる構成に限定されるものではなく、管理手段１２の上述した各機能を実現できる構成であればよい。
【符号の説明】
【００５７】
１０：海運貨物管理システム、１２：管理手段、１４：管理サーバ、１６：中継サーバ、１８：ウェブサーバ、２０：蓄積手段、２２：メールサーバ、２４：ファイルサーバ、２６（２６ａ、２６ｂ、２６ｃ）：管理端末、２８（２８ａ、２８ｂ、２８ｃ）：外部端末、３０（３０ａ、３０ｂ）：携帯端末、３４：管理ユーザ、３６（３６ａ、３６ｂ、３６ｃ）：外部ユーザ、４０：ユーザデータ保持機能部、４２：データ出力機能部、４４：外部ユーザ追加機能部、４６：出力内容制限機能部、４８：管理データ登録機能部、５０：写真撮影機能部、５２：写真データ格納機能部、ＰＮ１、ＰＮ２、ＰＮ３：専用ネットワーク、ＧＮ：汎用ネットワーク
【図１】
2016170690.tif 000003
【図２】
2016170690.tif 000004
【図３】
2016170690.tif 000005